(57)【特許請求の範囲】
【請求項１】
ハ字形に突合わせた２つの野地の頂部を隔てて一対の屋根葺材を相向い合わせ、これら一対の屋根葺材の上方を跨ぐように雁振瓦を設置した棟瓦留め構造において、
前記野地の頂部から略鉛直に立ち上がるハット形芯材の頭部の下端両側の鍔部が前記野地と一対の屋根葺材との間に各々挟持されるように配置すると共に、前記一対の屋根葺材の表面に両側縁を各々重合する略山形の熨斗板材を前記ハット形芯材の頭部に取り付け、さらに前記熨斗板材を前記雁振瓦で覆うように配置すると共に、前記雁振瓦を外方から貫通する瓦螺子で前記熨斗板材に締結したことを特徴とする棟瓦留め構造。
【請求項２】
前記野地上に、棟側から軒先側へ延びる複数の縦瓦桟が桁方向に間隔を開けて固定され、且つ、前記ハット形芯材の両側の鍔部が、前記縦瓦桟と該縦瓦桟の上方に固定された屋根葺材との間に挟持されたことを特徴とする請求項１記載の棟瓦留め構造。
【請求項３】
前記熨斗板材の両側縁下面に、前記一対の屋根葺材に密接する面戸材を設けたことを特徴とする請求項１又は２記載の棟瓦留め構造。
【請求項４】
前記瓦螺子を、前記熨斗板材の上面に固定した棟桟に締結したことを特徴とする請求項１，２又は３記載の棟瓦留め構造。
【請求項５】
前記雁振瓦の両端下方と熨斗板材の上方との間に割り熨斗瓦を介在したことを特徴とする請求項１，２，３又は４記載の棟瓦留め構造。
【発明の詳細な説明】
【０００１】
【発明の属する技術分野】
この発明は、住宅等の建物の棟部に棟瓦を固定する棟瓦留め構造に関する。
【０００２】
【従来の技術】
従来例の棟瓦留め構造は、図６に示すように、ハ字形に突合わせた２つの野地１の頂部１ａを隔てて２つの野地板１上に一対の屋根葺材２を相向き合わせて固定し、これら一対の屋根葺材２の間に粘土又はシックイ１６を詰めると共に、この粘土又はシックイ１６によって割り熨斗瓦１１を数段重ねになるように固定し、更にその上に粘土又はシックイ１６を介して熨斗瓦１４を載置し、この熨斗瓦１４の上方を覆うように雁振瓦３を図外の針金等を用いて棟木１５に掛止したものである。
【０００３】
【発明が解決しようとする課題】
しかしながら、従来例の棟瓦留め構造では、地震や強風を受けて粘土又はシックイ１６にひび割れが生じると、軒部の水密性が損なわれるという問題等がある。更に、ひび割れを生じた粘土又はシックイ１６が更なる地震や強風を受けると簡単に崩壊するため危険であるという問題がある。
【０００４】
この発明は、上記問題に鑑みてなされたものであり、耐久性に優れた棟瓦留め構造を提供することである。
【０００５】
【課題を解決するための手段】
請求項１記載の棟瓦留め構造は、ハ字形に突合わせた２つの野地の頂部を隔てて一対の屋根葺材を相向い合わせ、これら一対の屋根葺材の上方を跨ぐように雁振瓦を設置した棟瓦留め構造において、前記野地の頂部から略鉛直に立ち上がるハット形芯材の頭部の下端両側の鍔部が前記野地と一対の屋根葺材との間に各々挟持されるように配置すると共に、前記一対の屋根葺材の表面に両側縁を各々重合する略山形の熨斗板材を前記ハット形芯材の頭部に取り付け、さらに前記熨斗板材を前記雁振瓦で覆うように配置すると共に、前記雁振瓦を外方から貫通する瓦螺子で前記熨斗板材に締結したことを特徴とするものである。
【０００６】
請求項２記載の棟瓦留め構造は、前記野地上に、棟側から軒先側へ延びる複数の縦瓦桟が桁方向に間隔を開けて固定され、且つ、前記ハット形芯材の両側の鍔部が、前記縦瓦桟と該縦瓦桟の上方に固定された屋根葺材との間に挟持されたことを特徴とするものである。
【０００７】
請求項３記載の棟瓦留め構造は、前記熨斗板材の両側縁下面に、前記一対の屋根葺材に密接する面戸材を設けたことを特徴とするものである。
【０００８】
請求項４記載の棟瓦留め構造は、前記瓦螺子を、前記熨斗板材の上面に固定した棟桟に締結したことを特徴とするものである。
【０００９】
請求項５記載の棟瓦留め構造は、前記雁振瓦の両端下方と熨斗板材の上方との間に割り熨斗瓦を介在したことを特徴とするものである。
【００１０】
【発明の実施の形態】
この発明の実施の形態に係る棟瓦留め構造は、図１に示すように、ハ字形に突合わせた２つの野地１の頂部１ａを隔てて相向い合わせた一対の屋根葺材２と、これら一対の屋根葺材２の上方を跨ぐ雁振瓦３と、断面形状が野地１の頂部１ａから略鉛直に立ち上がる頭部４ａの下端両側から野地１の勾配に沿って傾斜する鍔部４ｂを延出してなり、全体としては長尺なハット形芯材４と、該ハット形芯材４の頭部４ａに凹溝５ａが嵌合されて前記一対の屋根葺材２の表面に両側縁５ｂを各々重合する略山形で、全体形状が長尺な部材である熨斗板材５と、該熨斗板材５の上面に固定される棟桟６と、前記雁振瓦３を外方から貫通して前記棟桟６に打ち込まれるスクリュー釘又はタッピングビス等からなる瓦螺子７とから構成されている。
【００１１】
前記野地１は、野地板又は中高層の建築物の屋上部を構成するコンクリートスラブからなるものである。前記野地１の上面は、アスファルトルーフィング等からなるの防水シート８で被覆され、該防水シート８の上面には、図２に示すように、棟側から軒先側へ延びる複数の縦瓦桟９が桁方向に間隔を開けて固定され、この縦瓦桟９に屋根葺材２が瓦釘２ａで固定されているものである。この実施例において、縦瓦桟９として棟側から軒先側へ伸びる桟木を適用したのは、屋根葺材２同士の隙間から野地１側に浸入した雨水等が野地１を伝って軒先へ流下し易くするためである。かつ、この縦瓦桟９に代わって、従来のように野地１上に横瓦桟を使用したもの等にも同様に適用できるので、これに限定されることはない。前記屋根葺材２としては、汎用瓦，並瓦又はスレート等が挙げられる。また、前記雁振瓦３は、天部に１乃至複数の瓦螺子挿通孔３ａを桁方向に所定間隔を開けて形成している。
【００１２】
前記ハット形芯材４は、薄肉鋼板を断面形状が略ハット形に折曲することによって前記頭部４ａ及び鍔部４ｂを形成し、更に鍔部４ｂの先端を上面側又は下面側へ折り返して、屋根葺材２の裏面に引っ掛かるようにしたものである。前記熨斗板材５は、熨斗瓦１４と略同じ断面形状を有する略山形の薄肉鋼板の中央部にハット形芯材４の頭部４ａより僅かに広い凹溝５ａをプレス等によって形成し、両側縁５ｂの下面にアスファルトを含侵した発泡樹脂等からなる面戸材１０を接着したものである。前記棟桟６は、熨斗板材５の上面に図外のタッピングビス又は接着剤を介して固定された木製の角材又は軽合金等からなるサッシバーである。
【００１３】
以下、この発明の実施の形態に係る棟瓦留め構造についての施工手順を説明する。先ず、野地１の上面に、複数の縦瓦桟９を図外のタッピングビス等を用いて固定し、ハット形芯材４の両側の鍔部１ｂを縦瓦桟９の上面に各々重合する。続いて、ハット形芯材４の両側の鍔部１ｂを覆うようにして縦瓦桟９に屋根葺材２を瓦釘２ａで固定する。これにより、屋根葺材２と縦瓦桟９との間に、ハット形芯材４の両側の鍔部４ｂが挟持される。
【００１４】
この状態で、ハット形芯材４の頭部４ａが屋根葺材２よりも上方へ突出しているので、ハット形芯材４の頭部４ａに熨斗板材５の凹溝５ａを嵌合させると、熨斗板材５の両側縁５ｂが屋根葺材２の表面に各々重合し、面戸材１０が熨斗板材５と屋根葺材２との間に挟持されることになる。そして、熨斗板材５の両側縁５ｂに割り熨斗瓦１１を各々載置し、これら割り熨斗瓦１１を貫通して瓦釘２ａを熨斗板材５又は縦瓦桟９に打ち付けるなどして固定した後、あるいはこれと前後して熨斗板材５の上面に棟桟６を図外の釘等で固定してから、割り熨斗瓦１１を跨いで雁振瓦３を載置することにより、熨斗板材５及びその上面に固定されている棟桟６を隠蔽するようにして、棟部の外観の美化と、雨水の侵入を阻止する。
【００１５】
最後に、瓦螺子７を雁振瓦３の瓦螺子挿通孔３ａを挿通させて棟桟６に打ち込むことにより、雁振瓦３を棟桟６に固定する。この工程で、瓦螺子７として長寸なものを適用し、瓦螺子７を棟桟６を貫通させて、熨斗板材５の凹溝５ａ及びハット形芯材４の頭部４ａに打ち込むことにより、雁振瓦３を棟桟６に固定するのと同時に、ハット形芯材４と熨斗板材５とを固定してもよい。
【００１６】
尚、雁振瓦３と熨斗板材５の間に棟桟６を介在しているのは、雁振瓦３は建物のデザイン等に応じて適宜選択されるものでありその仕様は多種に及ぶことを考慮したからである。即ち、上記例示の雁振瓦３以外の雁振瓦（図示せず）を適用することにより雁振瓦３の天面と熨斗板材５との間の寸法が増減しても、雁振瓦と熨斗板材５の間に介在する棟桟６を適切な寸法形状のものに交換するだけで、ハット形芯材４を加工する等の手間を伴うことなく、雁振瓦３を安定に固定できるからである。
【００１７】
また、雁振瓦３を野地１に比較的低く設けるのであれば、図３に示すように、縦瓦桟９を省略して屋根葺材２を直接に野地１上に載置すると共に、割り熨斗瓦１１を省略して雁振瓦３を直接に熨斗板材５に上面に載置してもよい。この場合には、縦瓦桟９と割り熨斗瓦１１の厚さ分だけ低くなる。
【００１８】
また、熨斗板材５に棟桟６を固定しなく、加えて、雁振瓦３を図４に示すような偏平雁振瓦１３としてもよい。この場合の施工手順について説明すると、先ず、上述同様の手順に従ってハット形芯材４の両側の鍔部１ｂを縦瓦桟９と屋根葺材２の間に挟持すると共に、前記ハット形芯材４の頭部４ａに熨斗板材５の凹溝５ａを嵌合させる。そして、熨斗板材５の両側縁５ｂの上方に、面戸突起１２ａを形成した割り熨斗瓦１２を各々載置し、これら割り熨斗瓦１２を貫通して瓦釘２ａを縦瓦桟９に打ち付ける。
【００１９】
続いて、これら割り熨斗瓦１２を跨いで偏平雁振瓦１３を載置することにより、前記熨斗板材５を隠蔽する。最後に、瓦螺子７を偏平雁振瓦１３の瓦螺子挿通孔１３ａに挿通させて熨斗板材５を貫通し更にハット形芯材４に締結することにより、偏平雁振瓦１３，熨斗板材５及びハット形芯材４を結束する。
【００２０】
尚、建物の棟高さを一層低く抑えるのであれば、図５に示すように、割り熨斗瓦１２を省略して偏平雁振瓦１３を直接に熨斗板材５の上面に載置するようにしてもよい。また、同図に表したように、凹溝５ａを省略して熨斗板材５の平坦な中央部の両側を単に折り曲げただけのものでもよい。
【００２１】
また、ハット形芯材４の頭部４ａの高さ寸法及び鍔部４ｂが頭部４ａから延出する長さは任意であるが、当該ハット形芯材４を隅棟に適用する場合には、雁振瓦３を野地１から高く持ち上げられるように頭部４ａの高さ寸法を大きく設定するのが好ましい。また、ハット形芯材４及び熨斗板材５は、所定の断面形状を有するものであれば、合成樹脂又は軽合金からなるサッシバーでもよい。
【００２２】
【発明の効果】
請求項１記載の棟瓦留め構造によれば、ハット形芯材の両側の鍔部を野地と一対の屋根葺材との間に各々挟持し、該ハット形芯材の頭部に取り付けた熨斗板材を一対の屋根葺材の表面に重合しているので、屋根葺材が強風を受ける等して野地から浮き上がることがない。また、屋根葺材が軒先側又は桁方向に揺動しても、熨斗板材と一対の屋根葺材との間に隙間が開くことがない。従って、台風や地震等の影響によって軒を構成する部材が多少位置ずれしても、水密性及び耐久性を維持することができる。また、雁振瓦の内側に回り込んだ雨水等は、略山形の熨斗板材を伝って屋根葺材の表面に排出されるので、雁振瓦の内側に雨水等が滞留することがなく、軒を構成する部材が湿気により腐敗するのを防止できる。
【００２３】
請求項２記載の棟瓦留め構造によれば、野地上に、棟側から軒先側へ延びる複数の縦瓦桟が桁方向に間隔を開けて固定されているため、屋根葺材同士の隙間から野地側に浸入した雨水等が野地を伝って軒先へ流下するのが妨げられない。しかも、ハット形芯材の両側の鍔部と野地との間に空間を設けられるため、ハット形芯材の内側に湿気が蓄積するのを防止し、野地の頂部付近が腐食するのを防止することができる。
【００２４】
請求項３記載の棟瓦留め構造によれば、熨斗板材の下面に、一対の屋根葺材に密接する面戸材を設けているので、強風に煽られる等して雨水等が棟側へ逆流しても、雨水等が屋根葺材と熨斗板材との間に浸入するのを確実に阻止することができる。
【００２５】
請求項４記載の棟瓦留め構造によれば、瓦螺子を、熨斗板材の上面に固定した棟桟に締結しているので、上述したように雁振瓦の寸法形状に係わりなく雁振瓦を安定に固定することができる。また、雁振瓦の形状寸法によって雁振瓦と熨斗板材の間隔が増加しても、棟桟の寸法を変更することによって雁振瓦と棟桟との間の距離を一定に保持できるため、瓦螺子を長さの異なるものに交換する必要がないという利点がある。
【００２６】
請求項５記載の棟瓦留め構造によれば、雁振瓦と熨斗板材との間に割り熨斗瓦を介在しているので、棟部の立体感を強調して豪華な外観を得ることができる。また、雁振瓦として熨斗板材よりも幅の狭いものを適用した場合に、熨斗板材の両側縁を割り熨斗瓦により隠蔽し、外観の見栄えを良好に保つことができる。
【図面の簡単な説明】
【図１】この発明の実施の形態に係る棟瓦留め構造を表す断面図。
【図２】この発明の実施の形態に係る棟瓦留め構造を構成する屋根の要部の斜視図。
【図３】この発明の実施の形態に係る棟瓦留め構造の第１の変形例を表す断面図。
【図４】この発明の実施の形態に係る棟瓦留め構造の第２の変形例を表す断面図。
【図５】この発明の実施の形態に係る棟瓦留め構造の第３の変形例を表す断面図。
【図６】従来例の棟瓦留め構造の断面図。
【符号の説明】
１    野地
２    屋根葺材
３    雁振瓦
４    ハット形芯材
５    熨斗板材
６    棟桟
７    瓦螺子
９    縦瓦桟
１０    面戸材
１１    割り熨斗瓦
【図１】
0003707021.tif 000002
【図２】
0003707021.tif 000003
【図３】
0003707021.tif 000004
【図４】
0003707021.tif 000005
【図５】
0003707021.tif 000006
【図６】
0003707021.tif 000007